【手続補正書】
【提出日】平成16年1月23日(2004.1.23)
【手続補正１】
【補正対象書類名】明細書
【補正対象項目名】特許請求の範囲
【補正方法】変更
【補正の内容】
【特許請求の範囲】
【請求項１】
テーパコマが部材に固定された固定構造において、
中心軸方向の断面形状が円錐台形状をなす孔テーパ部を備える孔が形成された前記部材と、
中心軸方向の断面形状が円錐台形状をなすテーパ部と、前記テーパ部の拡大側端部に連結し、前記テーパ部に対して突出して形成された突部と、前記テーパ部の拡大側端面または縮小側端面に形成され、前記テーパ部の中心軸方向に突出している延材部とを備える前記テーパコマとを有し、
前記孔テーパ部のテーパの値が前記テーパ部のテーパの値と同じであって、前記孔テーパ部の拡大側端部の直径が前記テーパ部の拡大側端部の直径よりも小さく、前記孔に前記テーパコマが挿入されたときの締まりばめ代の値が前記テーパ部の拡大側端部の直径の値の２〜２０％の値であり、
前記テーパコマの前記テーパ部が前記孔の前記孔テーパ部の拡大側から前記孔に圧入されて、前記テーパ部の側面と前記孔テーパ部の壁面とが接触し、且つ、前記突部下面が前記孔テーパ部の周囲において前記部材と当接し、前記テーパ部と前記孔テーパ部の壁面の間に発生する摩擦力により前記テーパコマが前記孔に対して固定されていることを特徴とする固定構造。
【請求項２】
テーパコマが部材に固定された固定構造において、
大きな直径の拡大側端部とそれより小さな直径の縮小側端部を持つ円錐台形状をなす孔テーパ部と、前記孔テーパ部の拡大側端部に連結する孔段部とを備える孔が形成された前記部材と、
大きな直径の拡大側端部とそれより小さな直径の縮小側端部を持つ円錐台形状を有するテーパ部と、前記テーパ部の拡大側端部に連結し、前記テーパ部の中心軸方向に直行する方向に突出して形成されたつば部と、前記テーパ部の拡大側端面または縮小側端面に形成され、前記テーパ部の中心軸方向に突出している延材部とを備える前記テーパコマとを有し、
前記孔テーパ部のテーパの値が前記テーパ部のテーパの値と同じであって、前記孔テーパ部の拡大側端部の直径が前記テーパ部の拡大側端部の直径よりも小さく、前記孔に前記テーパコマが挿入されたときの締まりばめ代の値が前記テーパ部の拡大側端部の直径の値の２〜２０％の値であり、
前記テーパコマの前記テーパ部が前記孔の前記孔テーパ部の拡大側から前記孔に挿入されて、前記テーパ部の側面と前記孔テーパ部の壁面とが接触し、且つ、前記つば部下面が前記孔テーパ部の周囲において前記孔段部と当接し、前記テーパ部と前記孔テーパ部の壁面の間に発生する摩擦力により前記テーパコマが前記孔に対して固定されていることを特徴とする固定構造。
【請求項３】
テーパコマが部材に固定された固定構造において、
拡大開口する孔テーパ部を備える孔が形成された前記部材と、
円錐台の側面形状をなすテーパ部と、前記テーパ部の拡大側端部に連結し、前記テーパ部に対して突出して形成された突部とを備える前記テーパコマとを有し、
前記孔テーパ部のテーパの値が前記テーパ部のテーパの値と同じであって、前記孔テーパ部の拡大側端部の直径が前記テーパ部の拡大側端部の直径よりも小さく、前記孔に前記テーパコマが挿入されたときの締まりばめ代の値が前記テーパ部の拡大側端部の直径の値の２〜２０％の値であり、
前記テーパコマの前記テーパ部が前記孔の前記孔テーパ部の拡大側から前記孔に圧入されて、前記テーパ部の側面と前記孔テーパ部の壁面とが接触し、且つ、前記突部下面が前記孔テーパ部の周囲において前記部材と当接し、前記テーパ部と前記孔テーパ部の壁面の間に発生する摩擦力により前記テーパコマが前記孔に対して固定されていることを特徴とする固定構造。
【請求項４】
請求項３記載の固定構造において、
前記テーパコマは、更に、前記テーパ部の拡大側端面または縮小側端面に形成され、前記テーパ部の中心軸方向に突出している延材部を備えることを特徴とする固定構造。
【請求項５】
請求項１、２または３に記載の固定構造において、
前記テーパコマは、少なくとも前記部材と同等の硬さを持つことを特徴とする固定構造。
【請求項６】
請求項１、２または３に記載の固定構造において、
前記テーパコマは、ステンレス鋼、アルミ、鉄鋼（ＳＳ材、炭素鋼、軽合金鋼、調質材（ＨＲＣ１５〜２５程度に焼入れ焼戻したもの））、りん青銅、黄銅、プラスチックの中から選ばれた少なくとも一種類の材質より成ることを特徴とする固定構造。
【請求項７】
請求項１、２または３に記載の固定構造において、
前記孔のテーパ部と、前記テーパコマのテーパ部のテーパの値が等しく、そのテーパの値が１／５０〜１／６であることを特徴とする。
【請求項８】
請求項１または３に記載の固定構造において、
前記部材の前記孔は、前記孔テーパ部の前記拡大側端部に連続して開口し、記孔テーパ部の前記拡大側端部の直径より大きい直径を持つ円柱形状の孔段部を備え、
前記テーパコマの前記突部が前記孔段部に挿入され、前記突部下面が前記孔段部の底面で前記部材に当接していることを特徴とする固定構造。
【請求項９】
請求項１、２または４に記載の固定構造において、
前記延在部は、位置決めピンであることを特徴とする。
【請求項１０】
請求項１、２または４に記載の固定構造において、
前記延在部は、ガイドバーであることを特徴とする。
【請求項１１】
請求項１、２または４に記載の固定構造において、
前記延在部は、引張りばね用ポストであることを特徴とする。
【請求項１２】
請求項１、２または４に記載の固定構造において、
前記延在部は、ベアリング用ポストであることを特徴とする。
【請求項１３】
請求項１、２または４に記載の固定構造において、
前記延在部は、スダッドボルトであることを特徴とする。
【請求項１４】
請求項１、２または４に記載の固定構造において、
前記テーパコマは、さらに、前記延在部が形成されている端面と反対側の端面に開口するように形成された雌ねじを備えていることを特徴とする。
【請求項１５】
請求項１、２または４に記載の固定構造において、
前記テーパコマは、さらに、前記延在部が形成されている端面と反対側の端面に開口するように形成され、他の突起部材が挿入される穴を備えていることを特徴とする。
【請求項１６】
請求項１、２または３に記載の固定構造において、
前記テーパコマは、さらに、前記テーパ部の拡大側端部に環状の溝を備えることを特徴とする。
【請求項１７】
テーパコマを部材に固定する固定方法において、
中心軸方向の断面形状が円錐台形状をなすテーパ部と、前記テーパ部の拡大側端部に連結し、前記テーパ部に対して突出して形成された突部と、前記テーパ部の拡大側端面または縮小側端面に形成され、前記テーパ部の中心軸方向に突出している延材部とを備える前記テーパコマを用意し、
中心軸方向の断面形状が円錐台形状をなす孔テーパ部であって、テーパの値が前記テーパ部のテーパの値と同じであり、拡大側端部の直径が前記テーパ部の拡大側端部の直径よりも小さく、前記孔に前記テーパコマが挿入されたときの締まりばめ代の値が前記テーパ部の拡大側端部の直径の値の２〜２０％の値である孔テーパ部を備える孔を前記部材に形成し、
前記テーパコマの前記テーパ部が前記孔の前記孔テーパ部の拡大側から前記孔に圧入し、前記テーパ部の側面と前記孔テーパ部の壁面とを接触させ、且つ、前記突部下面を前記孔テーパ部の周囲において前記部材と当接させ、前記テーパ部と前記孔テーパ部の壁面の間に発生する摩擦力により前記テーパコマを前記孔に対して固定することを特徴とする固定方法。
【請求項１８】
テーパコマを部材に固定する固定方法において、
大きな直径の拡大側端部とそれより小さな直径の縮小側端部を持つ円錐台形状を有するテーパ部と、前記テーパ部の拡大側端部に連結し、前記テーパ部の中心軸方向に直行する方向に突出して形成されたつば部と、前記テーパ部の拡大側端面または縮小側端面に形成され、前記テーパ部の中心軸方向に突出している延材部とを備える前記テーパコマを用意し、
大きな直径の拡大側端部とそれより小さな直径の縮小側端部を持つ円錐台形状を有する孔テーパ部であって、テーパの値が前記テーパ部のテーパの値と同じであり、拡大側端部の直径が前記テーパ部の拡大側端部の直径よりも小さく、前記孔に前記テーパコマが挿入されたときの締まりばめ代の値が前記テーパ部の拡大側端部の直径の値の２〜２０％の値である孔テーパ部と、前記孔テーパ部の拡大側端部に連結する孔段部とを備える孔を前記部材に形成し、
前記テーパコマの前記テーパ部を前記孔の前記孔テーパ部の拡大側から挿入し、
前記テーパコマに力を加えて、前記テーパ部の側面と前記孔テーパ部の壁面とを接触させ、且つ、前記つば部下面を前記孔テーパ部の周囲において前記孔段部と当接させ、前記テーパ部と前記孔テーパ部の壁面の間に発生する摩擦力により前記テーパコマを前記孔に対して固定することを特徴とする固定方法。
【請求項１９】
テーパコマを部材に固定する固定方法において、
円錐台の側面形状をなすテーパ部と、前記テーパ部の拡大側端部に連結し、前記テーパ部に対して突出して形成された突部とを備える前記テーパコマを用意し、
拡大開口する孔テーパ部であって、テーパの値が前記テーパ部のテーパの値と同じであって、拡大側端部の直径が前記テーパ部の拡大側端部の直径よりも小さく、前記孔に前記テーパコマが挿入されたときの締まりばめ代の値が前記テーパ部の拡大側端部の直径の値の２〜２０％の値である孔テーパ部を備える孔を前記部材に形成し、
前記テーパコマの前記テーパ部を前記孔の前記孔テーパ部の拡大側から圧入し、前記テーパ部の側面と前記孔テーパ部の壁面とを接触させ、且つ、前記突部下面を前記孔テーパ部の周囲において前記部材と当接させ、前記テーパ部と前記孔テーパ部の壁面の間に発生する摩擦力により前記テーパコマを前記孔に対して固定することを特徴とする固定方法。
【請求項２０】
請求項１７または１９に記載の固定方法において、
前記部材に前記孔を形成するステップは、前記孔テーパ部の前記拡大側に連続して開口し、記孔テーパ部の前記拡大側開口部の直径より大きい直径を持つ円柱形状の孔段部を更に備える前記孔を形成し、
前記テーパコマを固定するステップは、前記テーパコマの前記突部を前記孔段部に挿入して、前記突部下面を前記孔段部の底面で前記部材に当接させることを特徴とする固定方法。